(57)【要約】【課題】  鍵に付帯させたＩＤ情報と鍵開閉情報により連動する制御システムを提供する。【解決手段】  機械的な鍵で施錠／開錠するメカキーユニット２０と前記メカキーユニット２０と連動する情報管理装置３０から成るシステムであって、無線タグリーダ２３で無線タグ付鍵１０から鍵ＩＤ情報を読取って情報管理装置３０へ送信し、施錠／開錠検知部２２が検知した錠前部２１の施錠／開錠に係る情報を情報管理装置３０へ送信する。情報管理装置３０は、メカキーユニット２０から鍵ＩＤ情報と施錠／開錠に係る情報を受信したことを受信情報検知部３４が検知すると、メカキーユニット状態判定部３５は受信情報記憶部３６を参照して、鍵ＩＤ情報および施錠／開錠に係るアクション条件と一致した場合に、アクション起動処理部３７を介して施錠対象室内に配備された情報装置４０、警報装置５０へ所定のアクションを指示する。【選択図】    図１
2014058854.tif 000002
【特許請求の範囲】
【請求項１】
機械的な鍵で施錠または開錠するメカキーユニットと前記メカキーユニットと連動する情報管理装置から成るシステムであって、
前記メカキーユニットは、
自メカキーユニットを施錠または開錠する鍵の各々に装着された無線タグからＩＤ情報を読取る無線タグリーダと、前記無線タグリーダが読取ったＩＤ情報を前記情報管理装置へ送信するＩＤ情報送信手段と、自メカキーユニットの施錠または開錠に係る情報を前記情報管理装置へ送信する施錠／開錠送信手段と、を有し、
前記情報管理装置は、
前記メカキーユニットから前記ＩＤ情報を受信するＩＤ情報受信手段と、前記メカキーユニットから施錠または開錠に係る情報を受信する施錠／開錠受信手段と、前記ＩＤ情報と対応付けてアクション内容および前記アクションを起動する条件を登録するアクション登録手段と、前記アクション登録手段に登録された所定のアクションを起動するアクション起動手段と、前記ＩＤ情報受信手段が受信したＩＤ情報および前記施錠／開錠受信手段が受信した施錠または開錠に係る情報および前記アクション起動手段が起動したアクション内容を関連付けて記憶しておく受信情報記憶手段と、を有し、
ＩＤ情報と施錠／開錠受信手段が受信した施錠または開錠に係る情報が、登録されているアクション起動条件と一致した場合に、前記情報管理装置は施錠対象室内に配備された情報装置、警報装置へのアクションを可能とすることを特徴とする鍵開閉と連動するアクション制御システム。
【発明の詳細な説明】
【技術分野】
【０００１】
本発明は、入退室による鍵開閉と連動して情報装置の起動動作等のアクション制御を行う制御システムに関する。
【背景技術】
【０００２】
入室管理に係る認証情報と同室内の情報装置の起動動作とを連携してセキュリテイシステムを構築する方法として、ＩＣカードや指紋認証などを用いた入室認証装置により入室を許可して、その結果と連動するコンピュータ管理装置により、同室のコンピュータへのログインを可能とするコンピュータ管理システム（特許文献１）や、ＩＣカードや指紋認証などの入室認証とコンピュータの電源オン・オフを同一装置で連携して行う制御システム（特許文献２）が提案されている。
【先行技術文献】
【特許文献】
【０００３】
【特許文献１】特開２００２−０４１４６９号公報
【特許文献２】特開２００６−０７２４４６号公報
【発明の概要】
【発明が解決しようとする課題】
【０００４】
入室防犯装置の鍵と室内設置された情報装置の動作については、入室操作者は入室鍵と装置操作権限を別に保有して、入室後に情報装置毎にＩＤ等で識別された操作者が操作を行なうが、設定された情報装置であっても不法侵入者がＩＤ等を保有していれば操作が可能であった。この解決方法として、入室認証システムと情報装置の起動を一体としてシステム構築する方法が提案されているが、電子錠、ＩＣカード、指紋認証等と管理サーバ等のネットワーク構築が必要であり、システムの規模が大がかりで複雑なものとなっていた。
【０００５】
本発明の課題は、機械的な携帯鍵を使用し、鍵開閉と情報装置のセキュリテイと連動することによって、携帯鍵を持った人が正しく鍵を開けて入室した場合にのみ情報装置の起動や操作を行う事が可能な制御システムを提供することにある。
【課題を解決するための手段】
【０００６】
前記課題を解決するために、本発明は機械的な鍵で施錠または開錠するメカキーユニットと前記メカキーユニットと連動する情報管理装置から成るシステムであって、前記メカキーユニットは、自メカキーユニットを施錠または開錠する鍵の各々に装着された無線タグからＩＤ情報を読取る無線タグリーダと、前記無線タグリーダが読取ったＩＤ情報を前記情報管理装置へ送信するＩＤ情報送信手段と、自メカキーユニットの施錠または開錠に係る情報を前記情報管理装置へ送信する施錠／開錠送信手段と、を有し、前記情報管理装置は、前記メカキーユニットから前記ＩＤ情報を受信するＩＤ情報受信手段と、前記メカキーユニットから施錠または開錠に係る情報を受信する施錠／開錠受信手段と、前記ＩＤ情報と対応付けてアクション内容および前記アクションを起動する条件を登録するアクション登録手段と、前記アクション登録手段に登録された所定のアクションを起動するアクション起動手段と、前記ＩＤ情報受信手段が受信したＩＤ情報および前記施錠／開錠受信手段が受信した施錠または開錠に係る情報および前記アクション起動手段が起動したアクション内容を関連付けて記憶しておく受信情報記憶手段と、を有し、ＩＤ情報と施錠／開錠受信手段が受信した施錠または開錠に係る情報が、登録されているアクション起動条件と一致した場合に、前記情報管理装置は施錠対象室内に配備された情報装置、警報装置へのアクションを可能とすることを特徴とする。
【発明の効果】
【０００７】
本発明によれば、機械的な鍵の施錠解錠による開閉と施錠開錠を行う携帯鍵保持者のＩＤ情報とを組み合わせて入室の状態を識別し、携帯鍵を持った人が正しく入室した時の鍵開閉に連動して、室内の情報装置の起動停止等に係る操作を可能とし、不正な入室による異常な鍵開閉等に対して情報装置の操作を不可とすることができ、これらをカード認証装置やネットワーク設備を要したシステムとすることなく、構築することができる。
【０００８】
さらに施錠開錠による開閉と施錠開錠を行う携帯鍵保持者のＩＤ情報とを組み合わせて不正な退室を識別して警報の発報や、鍵のかけ忘れに対して注意喚起の発報をすることも可能である。
【図面の簡単な説明】
【０００９】
【図１】本発明による制御システムの全体構成及び機能ブロック図である。
【図２】本発明による制御システムの無線タグへのＩＤ情報登録を示す表である。
【図３】本発明による制御システムの施錠／開錠情報の履歴を示す表である。
【図４】本発明による制御システムのアクション条件と内容を示す表である。
【図５】本発明による制御システムの情報管理装置の動作フローチャートである。
【発明を実施するための形態】
【００１０】
以下、本発明の実施形態を説明する。図１は、本発明による鍵開閉と連動する制御システム（以下、制御システム）の実施形態例を示す全体構成及び機能ブロック図である。本制御システムは、扉に設置するメカキーユニット２０と、室内に設置する情報管理装置３０で構成されている。また、情報管理装置３０には情報装置４０、警報装置５０が接続されており、無線タグ付鍵１０でメカキーユニット２０を施錠／解錠することにより、情報管理装置３０は接続された情報装置４０または警報装置５０に、起動条件に応じた所定のアクションを指示する。
【００１１】
無線タグ付鍵１０は、通常の鍵に無線タグを付与したものである。錠前部２１に差込み施錠／開錠を行い、同時に無線タグリーダ２３で無線タグの情報を読み取る。尚、無線タグには予め鍵ＩＤ情報と登録者の情報が記録されているものとする。ここで、鍵ＩＤ情報とは登録者と対応付けられた固有のＩＤであり、本実施例においては英数字の組み合わせで示している。尚、実施例においては鍵と無線タグを一体型として表現しているが、必ずしも一体で形成する必要はない。
【００１２】
メカキーユニット２０は、錠前部２１、施錠／開錠検知部２２、無線タグリーダ２３、鍵ＩＤ情報送信部２４、施錠／開錠情報送信部２５から構成され、情報管理装置３０に施錠／開錠に係る情報および読み取った無線タグの鍵ＩＤ情報を送る。
【００１３】
錠前部２１は、外からは無線タグ付鍵１０によって、室内からは通常の内鍵によって施錠／開錠される。
【００１４】
施錠／開錠検知部２２は、錠前部２１の施錠／開錠に係る状態の変化を検知すると、検知した施錠／開錠情報を施錠／開錠情報送信部２５へ送る。施錠／開錠情報とは、錠前部２１の施錠／開錠に係る情報を示す。
【００１５】
無線タグリーダ２３は、無線タグ付鍵１０が有する無線タグを読み込み、取り出した鍵ＩＤ情報を鍵ＩＤ情報送信部２４に送る。
【００１６】
鍵ＩＤ情報送信部２４は、無線タグリーダ２３から鍵ＩＤ情報を受け取ると、情報管理装置３０の鍵ＩＤ情報受信部３１（後述）に送る。
【００１７】
施錠／開錠情報送信部２５は、施錠／開錠検知部２２から施錠／開錠情報を受け取ると、情報管理装置３０の施錠／開錠情報受信部３２（後述）に送る。
【００１８】
情報管理装置３０は、鍵ＩＤ情報受信部３１と、施錠／開錠情報受信部３２と、受信情報処理部３３と、受信情報検知部３４と、メカキーユニット状態判定部３５と、受信情報記憶部３６と、アクション起動処理部３７と、入出力インタフェース部３８で構成され、メカキーユニット２０から施錠／開錠に係る情報および無線タグの情報を受け取り、接続された情報装置４０、警報装置５０に所定のアクションを実行するよう指示を行う。
【００１９】
鍵ＩＤ情報受信部３１は、メカキーユニット２０の鍵ＩＤ情報送信部２４から鍵ＩＤ情報を受け取ると、受信情報処理部３３に送る。
【００２０】
施錠／開錠情報受信部３２は、メカキーユニット２０の施錠／開錠情報送信部２５から施錠／開錠情報を受け取ると、受信情報処理部３３に送る。
【００２１】
受信情報処理部３３は、鍵ＩＤ情報受信部３１と施錠／開錠情報受信部３２から各情報を受け取ると、鍵ＩＤ情報と施錠／開錠情報に受信した時刻を付与して受信情報記憶部３６に送る。
【００２２】
受信情報検知部３４は、受信情報処理部３３が情報を受信したことを検知すると、メカキーユニット状態判定部３５に受信した情報を判定する旨を指示する。
【００２３】
メカキーユニット状態判定部３５は、受信情報検知部３４からの指示を受けると、受信情報記憶部３６を参照して、受信した各情報からメカキーユニット２０の状態を判定し、アクション起動処理部３７に判定結果に応じた所定のアクションを起動する旨を指示する。
【００２４】
受信情報記憶部３６は、鍵ＩＤ情報記憶部３６−１と、施錠／開錠情報記憶部３６−２と、アクション条件登録／記憶部３６−３で構成されている。受信情報処理部３３から各情報を受け取り記憶し、メカキーユニット状態判定部３５の要求に応じて記憶した情報を提供する。また、入出力インタフェース部３９からの操作に応じて記憶した情報を入出力インタフェース部３９に表示する。
【００２５】
鍵ＩＤ情報記憶部３６−１は、受信した鍵ＩＤ情報と、鍵ＩＤ情報に関連付けられた登録者の情報、及び連動する情報装置を記憶する。内容は図２に後述する。
【００２６】
施錠／開錠情報記憶部３６−２は、受信した施錠／開錠情報を記憶する。施錠／開錠情報は、情報管理装置３０が通常備えるシステム時計から、受信日時を付与して記憶されるものとする。内容は図３に後述する。
【００２７】
アクション条件登録／記憶部３６−３は、鍵ＩＤ情報と対応付けられた施錠／開錠情報に係るアクション条件または鍵ＩＤ情報によらないアクション条件と、アクション条件に対応したアクション起動処理部３７が処理するアクション内容を記憶する。内容は図４に後述する。
【００２８】
アクション起動処理部３７は、メカキーユニット状態判定部３５から所定のアクションを起動する指示を受け取ると、情報装置４０または警報装置５０の起動処理を行う。
【００２９】
入出力インタフェース部３９は、図示しない入力装置（例えばキーボード、マウス、無線タグリーダ等）や出力装置（例えばディスプレイ等）を接続するインタフェースを示す。接続された入力装置及び出力装置を利用して、各受信情報記憶部３６への登録または記憶内容の参照を行うものである。
【００３０】
ここで、各受信情報記憶部３６への登録または記憶内容の参照を一例として示す。接続された無線タグリーダから無線タグ付鍵１０を読み込ませて、接続されたキーボードまたはマウスによって登録者情報および連動する情報装置を鍵ＩＤ情報記憶部３６−１に登録する。また、接続されたディスプレイを利用して、施錠／開錠情報記憶部３６−２の施錠／開錠履歴を参照する。さらに、接続されたキーボードまたはマウスによってアクション条件登録／記憶部３６−３のアクション条件及び所定のアクション内容の選択、設定を行う。
【００３１】
情報装置４０は、アクション起動処理部３７の指示を受けて作動するパソコン等の情報機器を示す。尚、情報装置４０は１〜ｎの複数が本システムに接続されており、無線タグ付鍵１０が有する鍵ＩＤ情報と対応付けられており、対応する鍵ＩＤ情報を用いて開錠／施錠された場合に対応する情報装置が起動するものとして説明する。
【００３２】
警報装置５０は、アクション起動処理部３７の指示を受けて作動する非常ベル、通報装置等の機器を示す。また警報装置５０は、鍵ＩＤ情報及び開錠情報を受信した後に施錠が為されなかった場合には施錠を促す警告を発生し、また鍵ＩＤ情報を受信せずに開錠情報が受信された場合には不正な開錠が為されたとして警報音を発生するものとする。また、図示しないが警報装置が起動した場合に電子メール等を用いて通知するものであってもよいし、警備会社等に通報を行うものであってもよい。
【００３３】
図２は本発明による制御システムの無線タグへの鍵ＩＤ情報の登録を示す表であり、鍵ＩＤ情報記憶部３６−１に記憶される。登録表２−１は、鍵ＩＤ情報が列２−２に、鍵ＩＤ情報と対応する登録者の情報が列２−３に、鍵ＩＤ情報および登録者と対応する情報装置を列２−４に、行２−５ごとに記憶されている。登録者とは、該当する鍵ＩＤ情報に対応する無線タグ付鍵を保持し、使用する者の情報である。また、該当する鍵ＩＤ情報によって開錠された場合に、対応する情報装置を起動させるものである。
【００３４】
図３は本発明による制御システムの施錠／開錠情報履歴を示す表であり、施錠／開錠情報記憶部３６−２に記憶されている。表３−１は、鍵ＩＤ情報と施錠／開錠情報を受信した時刻を列３−２に、鍵ＩＤ情報を列３−３に、施錠／開錠情報を列３−４に、行３−５ごとに記憶されている。
【００３５】
図４は本発明による制御システムのアクション条件の内容を示す表であり，アクション条件登録／記憶部３６−３に記憶されている。表４−１は、鍵ＩＤ情報が４−２に、鍵ＩＤ情報に対応する制御システムのアクション条件が４−３に、アクション条件に対応するアクション内容が４−４に、行４−５ごとに記憶されている。
【００３６】
図５は本発明による制御システムの情報管理装置の動作フローチャートである。本フローチャートは図４におけるアクション条件／内容表による情報管理装置３０の動作を示しており、メカキーユニット２０が施錠された状態から説明を開始する。
【００３７】
情報管理装置３０は、受信情報検知部３４がメカキーユニット２０から開錠情報を受信したか否か（Ｓ５０１）、後述するタイマが満了したか否か（Ｓ５０２）、また施錠情報を受信したか否か（Ｓ５０３）、の判定を繰り返す。
【００３８】
開錠情報を受信した場合（Ｓ５０１、ＹＥＳ）、次に鍵ＩＤ情報を受信したか否かを判定する（Ｓ５０４）。鍵ＩＤ情報を受信していない場合（Ｓ５０４、ＮＯ）、メカキーユニット状態判定部３５は受信情報記憶部３６を参照し、不正な開錠が為されたと判定して、アクション起動処理部３７を解して警報装置５０を起動（警報音を発生）する（Ｓ５０８）。
【００３９】
鍵ＩＤ情報を受信した場合（Ｓ５０４、ＹＥＳ）、メカキーユニット状態判定部３５は受信情報記憶部３６を参照し、受信した鍵ＩＤ情報に対応するアクション条件を照合する（Ｓ５０５）。次に、照合したアクション条件に対応するアクション内容に基づき、鍵ＩＤ情報に対応する情報装置を起動し（Ｓ５０６）、タイマ１をスタートして（Ｓ５０７）、Ｓ５０１に戻る。
【００４０】
尚、Ｓ５０７及び後述するＳ５１１において起動するタイマは、情報管理装置３０が通常有するシステム時計等である。またタイマがスタートした後、再び開錠情報を受信した場合においては、それぞれ個別に経過した時間を管理することが可能なものとする。
【００４１】
次に、Ｓ５０７においてタイマ１がスタートし、タイマ１が満了する前に（Ｓ５０２、ＮＯ）、施錠情報を受信した場合は（Ｓ５０３、ＹＥＳ）、タイマ１を停止してフローを終了する（Ｓ５０９）。
【００４２】
また、タイマ１が満了した場合は（Ｓ５０２、ＹＥＳ）、メカキーユニット状態判定部３５は受信情報記憶部３６を参照して、施錠が為されていないと判定しアクション起動処理部３７を介して警報装置５０を起動（施錠を促す警告を発生）する（Ｓ５１０）。
【００４３】
Ｓ５１０において、警報装置５０を起動（施錠を促す警告を発生）した後にタイマ２をスタートさせて（Ｓ５１１）、施錠情報を受信したか否かの判定を行う（Ｓ５１２）。施錠情報を受信した場合は（Ｓ５１２、ＹＥＳ）、警報装置５０を停止して（Ｓ５１３）、さらに全てのタイマを停止してフローを終了する（Ｓ５１４）。
【００４４】
また、施錠情報を受信しない場合は（Ｓ５１２、ＮＯ）、タイマ２が満了するまで施錠情報を受信したか否かの判定を繰り返す（Ｓ５１５、ＮＯ）。タイマ２が満了した場合は（Ｓ５１５、ＹＥＳ）、全ての情報装置を停止してフローを終了する（Ｓ５１６）。尚、記述はしないが、Ｓ５１６において全ての情報装置を停止した後に警報装置５０を起動（警報音を発生）してもよい。また、室内に他の利用者が存在しており、全ての情報装置を停止してしまうと不都合がある場合は、開錠を行ったＩＤに対応する情報機器のみを停止させるものであってもよい。
【００４５】
以上に説明した通り、本実施例は機械的な鍵で施錠または開錠するメカキーユニット２０と前記メカキーユニット２０と連動する情報管理装置３０から成るシステムであって、メカキーユニット２０は、錠前部２１を施錠／開錠する無線タグ付鍵１０から鍵ＩＤ情報を読取る無線タグリーダ２３と、鍵ＩＤ情報を情報管理装置３０へ送信する鍵ＩＤ情報送信部２４と、錠前部２１の施錠／開錠を施錠／開錠検知部２２が検知し、情報管理装置３０へ送信する施錠／開錠情報送信部２５を有し、情報管理装置３０は、メカキーユニット２０から鍵ＩＤ情報を受信する鍵ＩＤ情報受信部３１と、メカキーユニット２０から施錠／開錠に係る情報を受信する施錠／開錠情報受信部３２と、鍵ＩＤ情報と対応付けてアクション内容およびアクションを起動する条件を登録するアクション条件登録／記憶部３６−３と、アクション条件登録／記憶部３６−３に登録された所定のアクションを起動するアクション起動処理部３７と、鍵ＩＤ情報受信部３１が受信した鍵ＩＤ情報を記憶する鍵ＩＤ情報記憶部３６−１と、施錠／開錠情報受信部３２が受信した施錠／開錠情報を記憶する施錠／開錠情報記憶部３６−２を有し、鍵ＩＤ情報と施錠／開錠受信部３２が受信した施錠／開錠情報が、記憶登録されたアクション起動条件と一致した場合に、情報管理装置３０は施錠対象室内に配備された情報装置４０、警報装置５０へのアクションを行うことが可能である。
【符号の説明】
【００４６】
１０・・・無線タグ付鍵
２０・・・メカキーユニット
２１・・・錠前部
２２・・・施錠／開錠検知部
２３・・・無線タグリーダ
２４・・・鍵ＩＤ情報送信部
２５・・・施錠／開錠情報送信部
３０・・・情報管理装置
３１・・・鍵ＩＤ情報受信部
３２・・・施錠／開錠情報受信部
３３・・・受信情報処理部
３４・・・受信情報検知部
３５・・・メカキーユニット状態判定部
３６・・・受信情報記憶部
３６−１・・・鍵ＩＤ情報記憶部
３６−２・・・施錠／開錠情報記憶部
３６−３・・・アクション条件登録／記憶部
３７・・・アクション起動処理部
３８・・・入出力インタフェース部
４０・・・情報装置１〜ｎ
５０・・・警報装置
【図１】
2014058854.tif 000003
【図２】
2014058854.tif 000004
【図３】
2014058854.tif 000005
【図４】
2014058854.tif 000006
【図５】
2014058854.tif 000007